(57)【特許請求の範囲】
【請求項１】
ウェブページに取引対象物情報を提供する方法であって、
アクセス要求を受信した後、ウェブページを提供するステップであって、前記ウェブページは、少なくとも１つの第１領域と少なくとも１つの第２領域を含み、前記第１領域は、複数のターゲット取引対象物の情報を含み、前記第２領域は、複数のサブ領域を含み、前記複数のサブ領域の各サブ領域は、少なくとも１つの取引対象物の情報を表示する、前記ウェブページを提供するステップを含む、前記方法において、前記ウェブページに対応するコンテンツは、
前記サブ領域に表示された取引対象物のトラフィック情報の統計を取得するステップと、
前記統計に基づいて、ターゲット取引対象物の情報を決定するステップと、
前記ターゲット取引対象物の前記情報を前記第１領域にロードして、前記第１領域のターゲット取引対象物の情報に対して操作が行われると、前記ウェブページが前記ターゲット取引対象物の前記情報に対応するサブ領域の位置にナビゲートされるように、前記ロードされた情報を前記サブ領域の対応する位置にリンクするステップと、
によって決定される、前記方法。
【請求項２】
前記統計に基づいて、ターゲット取引対象物の情報を決定する前記ステップは、
所定の基準を満足させるトラフィック情報を有する少なくとも１つの取引対象物を前記サブ領域のそれぞれから選択するステップと、
前記サブ領域から選択された前記取引対象物の情報をターゲット取引対象物の情報として指定するステップと、
を含む、請求項１に記載の方法。
【請求項３】
前記複数のサブ領域の各サブ領域は、同じレベル１カテゴリからの取引対象物の情報を含み、前記レベル１カテゴリは、複数のレベル２カテゴリを含み、前記統計に基づいてターゲット取引対象物の情報を前記決定することは、
レベル２カテゴリから、前記レベル２カテゴリに対応するトラフィック情報を決定するように、取引対象物のトラフィック情報を収集するステップと、
ターゲットレベル２カテゴリであって、所定の基準を満たすトラフィック情報を有する前記ターゲットレベル２カテゴリに対応する情報をターゲット取引対象物の情報として指定するステップと、
を含む、請求項１に記載の方法。
【請求項４】
ターゲットレベル２カテゴリに対応する情報をターゲット取引対象物の情報として指定する前記ステップは、
前記ターゲットレベル２カテゴリから取引対象物を選択するステップと、
前記選択された取引対象物に対応する画像を前記ターゲットレベル２カテゴリの代表画像として指定するステップと、
前記代表画像に基づいて、ターゲット取引対象物の情報を決定するステップと、
を含む、請求項３に記載の方法。
【請求項５】
前記ウェブページに対応するコンテンツは、
前記ターゲットレベル２カテゴリの親カテゴリであるレベル１カテゴリに対応するターゲットサブ領域内のターゲットレベル２カテゴリから取引対象物の情報をロードすること、
によって、さらに決定される、請求項３に記載の方法。
【請求項６】
前記第２領域の前記複数のサブ領域は、前記ウェブページで重なることなしに表示される、
請求項１に記載の方法。
【請求項７】
前記第２領域の前記複数のサブ領域は、前記ウェブページで重なって表示される、
請求項１に記載の方法。
【請求項８】
ターゲット取引対象物の情報を更新するステップをさらに含み、前記ステップは、前記サブ領域の前記取引対象物に関して、
前記サブ領域に表示された前記取引対象物の前記トラフィック情報の前記統計を更新することと、
前記トラフィック情報の前記更新された統計に基づいて、更新されたターゲット取引対象物の情報を決定することと、
前記更新されたターゲット取引対象物の前記情報を前記第１領域にロードして、前記第１領域の更新されたターゲット取引対象物の情報に対して操作が行われると、前記ウェブページが前記更新されたターゲット取引対象物の前記情報に対応するサブ領域の位置にナビゲートされるように、前記更新されたターゲット取引対象物の前記情報を前記サブ領域の対応する位置にリンクすることと、
を含む、
請求項１に記載の方法。
【請求項９】
ウェブページに基づいたユーザインタフェース方法であって、
ウェブページに取引対象物情報を表示することを含み、前記ウェブページは、少なくとも１つの第１領域と少なくとも１つの第２領域を含み、前記第２領域は、複数のサブ領域を含み、前記複数のサブ領域の各サブ領域は、少なくとも１つの取引対象物の情報を表示し、前記第１領域は、複数のターゲット取引対象物の情報を含み、前記複数のターゲット取引対象物の前記情報は、前記第１領域のターゲット取引対象物の情報に対して操作が行われると、前記ウェブページが前記ターゲット取引対象物の前記情報に対応するサブ領域の位置にナビゲートされるように前記サブ領域の対応する位置にリンクされる、前記方法。
【請求項１０】
ターゲット取引対象物の情報は、対応するサブ領域から選択され、所定の基準を満たすトラフィック情報を有する取引対象物の情報に対応する、
請求項９に記載の方法。
【請求項１１】
前記複数のサブ領域の各サブ領域は、同じレベル１カテゴリからの取引対象物の情報を含み、前記レベル１カテゴリは、複数のレベル２カテゴリを含み、ターゲット取引対象物の情報は、対応するサブ領域から選択され、所定の基準を満たすトラフィック情報を有するレベル２カテゴリの情報に対応する、
請求項９に記載の方法。
【請求項１２】
前記ウェブページに対応するコンテンツは、前記サブ領域のそれぞれの取引対象物に関して、
前記サブ領域に表示された取引対象物のトラフィック情報の統計を取得することと、
前記統計に基づいて、ターゲット取引対象物の情報を決定することと、
前記ターゲット取引対象物の前記情報を前記第１領域にロードして、前記ロードされた情報を前記サブ領域の対応する位置にリンクすることと、
によって決定される、
請求項９に記載の方法。
【請求項１３】
前記統計に基づいて、ターゲット取引対象物の情報を前記決定することは、
所定の基準を満たすトラフィック情報を有する取引対象物を前記サブ領域のそれぞれから選択することと、
前記サブ領域から選択された前記取引対象物の情報をターゲット取引対象物の情報として指定することと、
を含む、
請求項１２に記載の方法。
【請求項１４】
前記複数のサブ領域の各サブ領域は、同じレベル１カテゴリからの取引対象物の情報を含み、前記レベル１カテゴリは、複数のレベル２カテゴリを含み、前記統計に基づいてターゲット取引対象物の情報を決定することは、
レベル２カテゴリから、前記レベル２カテゴリに対応するトラフィック情報を決定するように、取引対象物のトラフィック情報を収集するステップと、
ターゲットレベル２カテゴリであって、所定の基準を満たすトラフィック情報を有する前記ターゲットレベル２カテゴリに対応する情報をターゲット取引対象物の情報として指定するステップと、
を含む、
請求項１２に記載の方法。
【請求項１５】
ターゲット取引対象物の情報を更新するステップをさらに含み、前記ステップは、前記サブ領域のそれぞれの取引対象物に関して、
前記サブ領域に表示された前記取引対象物の前記トラフィック情報の前記統計を更新することと、
前記トラフィック情報の前記更新された統計に基づいて、更新されたターゲット取引対象物の情報を決定することと、
前記第１領域に前記更新されたターゲット取引対象物の前記情報をロードして、前記第１領域の更新されたターゲット取引対象物の情報に対して操作が行われると、前記ウェブページが前記更新されたターゲット取引対象物の前記情報に対応するサブ領域の位置にナビゲートされるように、前記更新されたターゲット取引対象物の前記情報を前記サブ領域の対応する位置にリンクすることと、
をさらに含む、
請求項１２に記載の方法。
【請求項１６】
ウェブページに取引対象物情報を提供するシステムであって、前記システムは、
プロセッサと、
前記プロセッサに動作可能に接続される非一時的コンピュータ可読媒体と、
を含み、前記非一時的コンピュータ可読媒体は、ウェブページへのアクセス要求を受信後、前記プロセッサによってアクセスされた時、ウェブページを提供するように実行されるように記憶されるコンピュータ可読命令を有しており、前記ウェブページは、少なくとも１つの第１領域と少なくとも１つの第２領域を含み、前記第１領域は、複数のターゲット取引対象物の情報を含み、前記第２領域は、複数のサブ領域を含み、前記複数のサブ領域の各サブ領域は、少なくとも１つの取引対象物の情報を表示し、前記命令は、情報統計モジュールを備え、
前記情報統計モジュールは、
前記サブ領域のそれぞれの取引対象物に関して、前記サブ領域に表示された取引対象物のトラフィック情報の統計を取得するように構成されたトラフィック情報統計サブモジュールと、
前記統計に基づいてターゲット取引対象物の情報を決定するように構成されたターゲット取引対象物決定サブモジュールと、
を含む前記情報統計モジュールと、
レイアウトモジュールであって、前記ターゲット取引対象物の前記情報を前記第１領域にロードし、前記第１領域のターゲット取引対象物の情報に対して操作が行われると、前記ウェブページが前記ターゲット取引対象物の前記情報に対応するサブ領域の位置にナビゲートされるように、前記ロードされた情報を前記サブ領域の対応する位置にリンクするように構成された前記レイアウトモジュールと、
を含む、前記システム。
【請求項１７】
前記ターゲット取引対象物決定サブモジュールは、
所定の基準を満たすトラフィック情報を有する取引対象物を前記サブ領域のそれぞれから選択するように構成された選択サブモジュールと、
前記サブ領域から選択された前記取引対象物の情報をターゲット取引対象物の情報として指定するように構成された第１決定サブモジュールと、
を含む、
請求項１６に記載のシステム。
【請求項１８】
前記複数のサブ領域の各サブ領域は、同じレベル１カテゴリからの取引対象物の情報を含み、前記レベル１カテゴリは、複数のレベル２カテゴリを含み、前記ターゲット取引対象物決定サブモジュールは、
レベル２カテゴリから、前記レベル２カテゴリに対応するトラフィック情報を決定するように、取引対象物のトラフィック情報を蓄積するように構成される蓄積サブモジュールと、
ターゲットレベル２カテゴリであって、所定の基準を満たすトラフィック情報を有する前記ターゲットレベル２カテゴリに対応する情報をターゲット取引対象物の情報として指定するように構成された第２決定サブモジュールと、
を含む、
請求項１６に記載のシステム。
【請求項１９】
前記第２決定サブモジュールは、
前記ターゲットレベル２カテゴリから取引対象物を選択するように構成された取引対象物選択サブモジュールと、
前記選択された取引対象物に対応する画像を前記ターゲットレベル２カテゴリの代表画像として指定するように構成された代表画像決定サブモジュールと、
前記代表画像に基づいて、ターゲット取引対象物の情報を決定するように構成された情報決定サブモジュールと、
を含む、
請求項１８に記載のシステム。
【請求項２０】
前記レイアウトモジュールは、前記ウェブページのコンテンツを決定する時、前記ターゲットレベル２カテゴリの親カテゴリであるレベル１カテゴリに対応するターゲットサブ領域の中央部分に、ターゲットレベル２カテゴリからの取引対象物の情報をロードするようにさらに構成される、
請求項１８に記載のシステム。
【発明の詳細な説明】
【技術分野】
【０００１】
関連出願の相互参照
本出願は、２０１４年１１月１０日出願の中国特許出願第２０１４１０６４５４３０．９号の利益を主張し、その全体を参照により本明細書に組み込む。
【０００２】
本発明は、一般的に、ウェブページ情報を処理する技術に関し、より詳細には、ウェブページ上で取引対象物情報を提供するシステム及び方法に関する。
【背景技術】
【０００３】
電子商取引ウェブページは、商品ブランド、取引対象物等に関する大量の情報のロード及び表示によって、ウェブページのレンダリングが極めて長くなることが多い。例えば、ウェブページが何百、何千の取引対象物の情報を提示するように指定される場合、ウェブページは、膨大なコンテンツを有するウェブページとなる。
【０００４】
膨大なコンテンツを有するウェブページに関連するよくある問題として、ユーザがこのようなウェブページを閲覧して、ウェブページの下端近くに表示された関心品目に到達するためには、ユーザは、マウスホイールを繰り返しスクロールするか、スクロールバー上にカーソルを置いてスクロールバーの指定の領域上で複数回クリックするか、または、スクロールバーを複数回、ドラッグすることが必要である。同様に、ウェブページの上端近くに表示されたコンテンツは、通常、サイトの露出が多いので、より多くのユーザアクセスがあり、表示されたコンテンツへのユーザトラフィックが高くなる。これに対して、ウェブページの下端近くに表示されたコンテンツは、サイトの露出が少なく、結果として、ユーザアクセスが少なくなり、表示されたコンテンツへのユーザトラフィックが低くなる。さらに、膨大なコンテンツを有するウェブページが、情報をより小さい複数のサブページに分割して表示する場合、同様に、一連の複数のサブページの大きいサブページ番号を有するサブページに表示された情報は、あまり望ましくないユーザトラフィック量になる。
【０００５】
さらに、コンテンツをホストするウェブページまたはウェブサイトに大量のユーザアクセスを有するウェブページコンテンツがある。例えば、インターネットで消費者に提示される大規模なプロモーションの素材は、限られた短期間に、膨大な量のウェブページアクセスを生成する可能性がある。結果として、このようなコンテンツのウェブページを提供するサーバとネットワークリソースは、アクセス負荷の量が増加する。他方、コンテンツをホストするウェブページまたはウェブサイトへのユーザトラフィックが比較的低量のウェブページコンテンツに関しては、このようなウェブページコンテンツを提供するサーバ及びネットワークリソースは、アクセス負荷が小さいので、ネットワークリソースを無駄にするだけでなく、システム負荷を不均衡にする。
【０００６】
よって、より多くの取引の取引対象物の情報が、ユーザアクセスとアクセス時のユーザ相互作用を起こすことができるように、膨大なコンテンツを有するウェブページを提示する必要が存在する。
【発明の概要】
【０００７】
本開示は、ウェブページ上に表示された取引対象物が均衡の取れたユーザトラフィックを獲得し、ネットワークリソースがより効率的に利用され、且つ、システム負荷の不均衡が低減されるように、ウェブページ上に取引対象物情報を提供するシステム及び方法を提供する。
【０００８】
本開示の例示の実施形態によると、ウェブページに取引対象物情報を提供する方法は、アクセス要求を受信後、ウェブページを提供するステップを含む。ウェブページは、少なくとも１つの第１領域と少なくとも１つの第２領域を含む。第１領域は、複数のターゲット取引対象物の情報を含み、第２領域は、複数のサブ領域を含み、複数のサブ領域の各サブ領域は、少なくとも１つの取引対象物の情報を表示する。ウェブページに対応するコンテンツは、各サブ領域の取引対象物に関して、サブ領域に表示された取引対象物に関するトラフィック情報の統計を取得することと、統計に基づいてターゲット取引対象物の情報を決定することと、ターゲット取引対象物の情報を第１領域にロードして、第１領域のターゲット取引対象物の情報に対して操作が行われると、ターゲット取引対象物の情報に対応するサブ領域の位置にウェブページがナビゲートされるように、ロードされた情報をサブ領域の対応する位置にリンクすること、によって決定される。
【０００９】
本開示の別の例示の実施形態によると、ウェブページに取引対象物情報を提供する方法は、ウェブページを受信するステップを含む。ウェブページは、少なくとも１つの第１領域と少なくとも１つの第２領域を含む。第１領域は、複数のターゲット取引対象物の情報を含み、第２領域は、複数のサブ領域を含み、複数のサブ領域の各サブ領域は、少なくとも１つの取引対象物の情報を表示する。ウェブページに対応するコンテンツは、各サブ領域の取引対象物に関して、サブ領域に表示された取引対象物のトラフィック情報の統計を取得することと、統計に基づいてターゲット取引対象物の情報を決定することと、ターゲット取引対象物の情報を第１領域にロードして、第１領域のターゲット取引対象物の情報に対して操作が行われると、ターゲット取引対象物の情報に対応するサブ領域の位置にウェブページがナビゲートされるように、ロードされた情報をサブ領域の対応する位置にリンクすること、によって決定される。
【００１０】
本開示のさらに別の例示の実施形態によると、ウェブページに基づいて取引対象物情報を提供するユーザインタフェース方法は、ウェブページを表示するステップを含む。ウェブページは、少なくとも１つの第１領域と少なくとも１つの第２領域を含む。第２領域は、複数のサブ領域を含み、複数のサブ領域の各サブ領域は、少なくとも１つの取引対象物の情報を表示する。第１領域は、複数のターゲット取引対象物の情報を含み、情報は、第１領域のターゲット取引対象物の情報に対して操作が行われると、ターゲット取引対象物の情報に対応するサブ領域の位置にウェブページがナビゲートされるように、サブ領域の対応する位置にリンクされる。
【００１１】
本開示のさらに別の例示の実施形態によると、ウェブページに取引対象物情報を提供するシステムは、ウェブページを表示するように構成された表示モジュールを含み、ウェブページは、少なくとも１つの第１領域と少なくとも１つの第２領域を含む。第２領域は、複数のサブ領域を含み、複数のサブ領域の各サブ領域は、少なくとも１つの取引対象物の情報を表示する。第１領域は、複数のターゲット取引対象物の情報を含み、情報は、第１領域のターゲット取引対象物の情報に対して操作が行われると、ターゲット取引対象物の情報に対応するサブ領域の位置にウェブページがナビゲートされるように、サブ領域の対応する位置にリンクされる。
【００１２】
本開示のさらに別の例示の実施形態によると、ウェブページに取引対象物情報を提供するシステムは、アクセス要求を受信後、ウェブページを提供するように構成される。ウェブページは、少なくとも１つの第１領域と少なくとも１つの第２領域を含む。第１領域は、複数のターゲット取引対象物の情報を含み、第２領域は、複数のサブ領域を含み、複数のサブ領域の各サブ領域は、少なくとも１つの取引対象物の情報を表示する。ウェブページのコンテンツは、情報統計モジュールとレイアウトモジュールの使用によって決定される。情報統計モジュールは、トラフィック情報統計サブモジュールとターゲット取引対象物決定サブモジュールとを含むように構成される。トラフィック情報統計サブモジュールは、サブ領域の取引対象物に関して、サブ領域に表示された取引対象物のトラフィック情報の統計を取得するように構成される。ターゲット取引対象物決定サブモジュールは、統計に基づいて、ターゲット取引対象物の情報を決定するように構成される。レイアウトモジュールは、ターゲット取引対象物の情報を第１領域にロードし、第１領域のターゲット取引対象物の情報に対して操作が行われると、ターゲット取引対象物の情報に対応するサブ領域の位置にウェブページがナビゲートされるように、ロードされた情報をサブ領域の対応する位置にリンクするように構成される。
【００１３】
本開示のさらに別の例示の実施形態によると、ウェブページに取引対象物情報を提供するシステムは、ウェブページを受信するように構成される。ウェブページは、少なくとも１つの第１領域と少なくとも１つの第２領域を含む。第１領域は、複数のターゲット取引対象物の情報を含み、第２領域は、複数のサブ領域を含み、複数のサブ領域の各サブ領域は、少なくとも１つの取引対象物の情報を表示する。ウェブページのコンテンツは、情報統計モジュールとレイアウトモジュールの使用によって決定される。情報統計モジュールは、トラフィック情報統計サブモジュールとターゲット取引対象物決定サブモジュールを含むように構成される。トラフィック情報統計サブモジュールは、サブ領域の取引対象物に関して、サブ領域に表示された取引対象物のトラフィック情報の統計を取得するように構成される。ターゲット取引対象物決定サブモジュールは、統計に基づいて、ターゲット取引対象物の情報を決定するように構成される。レイアウトモジュールは、ターゲット取引対象物の情報を第１領域にロードし、第１領域のターゲット取引対象物の情報に対して操作が行われると、ターゲット取引対象物の情報に対応するサブ領域の位置にウェブページがナビゲートされるように、ロードされた情報をサブ領域の対応する位置にリンクするように構成される。
【００１４】
添付図面は、本明細書に組み込まれ、本明細書の一部をなし、図中、類似の番号は類似の要素を表す。添付図面は、本開示の実施形態を示し、説明と共に開示の原理を説明する。
【図面の簡単な説明】
【００１５】
【図１】本開示の実施形態による、ウェブページに取引対象物情報を提供する例示の方法を示すフローチャートである。
【図２】本開示の実施形態による、取引対象物情報を提供するウェブページの例示のレイアウトを示す図である。
【図３】本開示の実施形態による、取引対象物情報を提供するウェブページの別の例示のレイアウトを示す図である。
【図４】本開示の実施形態による、ウェブページに取引対象物情報を提供するシステムのブロック図である。
【発明を実施するための形態】
【００１６】
以下の記載において、本開示を十分に理解できるように、多くの具体的な詳細を示すが、本開示は、これらの具体的な詳細無しに実践してよいことは、当業者には明らかであろう。本明細書の記載及び表現は、当業者が自分の制作の内容を他の当業者に最も効果的に伝えるために使用される一般的な手段である。他の例においては、本開示の態様を不必要に曖昧にしないように、周知の方法、手順、構成要素、及び、回路については詳細に記載していない。
【００１７】
本明細書における「一実施形態」または「ある実施形態」という言及は、その実施形態と関連して記載された特定の特徴、構造、または、特性は、開示の少なくとも１つの実施形態に含まれ得るということを意味する。明細書の様々な箇所での「一実施形態においては」という句の出現は、必ずしも全て同じ実施形態を指しておらず、他の実施形態とは互いに排他的な別個または代替の実施形態でもない。本明細書で使用される場合、「上部（ｕｐｐｅｒ）」、「下部（ｌｏｗｅｒ）」、「最上部（ｔｏｐ）」、「最下部（ｂｏｔｔｏｍ）」、「中央（ｍｉｄｄｌｅ）」、「上方に（ｕｐｗａｒｄｓ）」、及び、「下方に（ｄｏｗｎｗａｒｄｓ）」という語は、絶対座標系を指定するのではなく、記載の目的で相対的位置を提供することを意図している。さらに、開示の１つまたは複数の実施形態を表すプロセスフローチャートまたは図のブロックの順序は、本質的に、任意の特定の順序を示しておらず、本開示におけるいかなる制限も暗示していない。
【００１８】
本開示の実施形態を、図１〜図４を参照して本明細書に記載する。しかしながら、開示はこれらの限られた実施形態の範囲を超えるので、これらの図に関して本明細書に記載した詳細は、例示目的であることを、当業者は容易に理解されよう。
【００１９】
本明細書のウェブページは、ＵＲＬ、または、従来のコンピュータ、ポータブル装置、モバイル装置、小型装置等を含むが、これらに限定されない装置のユーザインタフェースにレンダリングされる任意の形態のコンテンツ表示に関連付けられたウェブページ全体またはウェブページの一部を指す。
【００２０】
本開示の実施形態は、クライアントシステムとサーバシステムの両方と共に実施できる。サーバシステムは、ウェブページに表示するコンテンツと、そのコンテンツのレイアウトを決定するように構成できる。クライアントシステムは、ユーザからのコマンドを実行して、ウェブページ表示要求をサーバシステムに送信し、ウェブページをサーバシステムからダウンロードし、要求したウェブページをウェブブラウザでクライアントのウェブページ表示システムに表示するように構成できる。以下に、サーバシステム、クライアントシステム、及び、システム全体の観点から、例示の実施形態を示す。
【００２１】
図１を参照すると、本開示の実施形態による、サーバシステムによってウェブページに取引対象物情報を提供する例示の方法のフローチャートが示されている。所望のウェブページをホストするサーバは、ウェブページ表示要求を受信した後、クライアント側でユーザがダウンロードするためのウェブページを提供する。ウェブページは、少なくとも１つの第１領域と少なくとも１つの第２領域を含む。第２領域は、複数のサブ領域を含み、各サブ領域は、少なくとも１つの取引対象物の情報を表示する。第１領域は、複数のターゲット取引対象物に関する情報を含む。
【００２２】
詳細には、ウェブページは、ウェブページに含まれる取引対象物の情報を、より高いサイト露出と増加されたユーザトラフィック、システム負荷を均衡化すること、リソースのユーザビリティを強化することを提供するために、少なくとも１つの第１領域と少なくとも１つの第２領域を含む。ウェブページの第１領域は、典型的に、第２領域の上に配置されるように構成され、第２領域は、ウェブページ内に含まれる取引対象物の情報を表示する。ウェブページの第２領域は、典型的に、ウェブページ全体の最大の表示を占め、「メインコンテンツ領域」と呼ぶことができる。第２領域に表示された取引対象物に対応する情報は、画像及び／またはテキスト等の情報を含むが、これらに限定されない。ハイパーリング及び他の同様の機構を使用することによって、ユーザが、特定の取引対象物のこのような情報をクリック（すなわち、マウス入力装置によって選択）すると、ユーザは、その情報に関連付けられたハイパーテキストリンクを起動して、例えば、このような取引対象物の詳細情報ウェブページ等、他のウェブページにナビゲートできる。
【００２３】
ウェブページに表示される取引対象物の情報量が典型的には非常に多いという事実によって、第２領域は、複数のサブ領域に分割でき、各サブ領域は、全ての取引対象物から、その取引対象物の一部分の情報を表示する。ウェブページの第２領域内のサブ領域のレイアウトは、様々に変更できる。ある場合には、サブ領域は、例えば、水平、垂直、または、その両方で表示されて、互いに重ならず、ウェブページに表示できる。従って、ユーザが、クライアントシステムのウェブブラウザを用いて、ウェブページを閲覧する時、ユーザは、垂直スクロールバー、水平スクロールバー、または、その両方等の制御を利用して、ウェブページの閲覧を制御する。
【００２４】
他の一部の例においては、サブ領域は、重なる配置で、ウェブページの第２領域に表示できる。例えば、ウェブページの第２領域は、第２領域のコンテンツを表示のために複数のサブページに分割するように構成できる。従って、「次のページ」、「前のページ」等の制御等のページナビゲーション機構もサブページに関して実施される。ユーザは、このような制御を利用して、サブ領域に表示された取引対象物の情報を閲覧する。上記複数のサブページ表示方法を用いて、制御機構を使用したサブページ間のナビゲーションによって、異なるウェブページを表示するために、同じウェブブラウザの異なるウェブページに進む代わりに、または、ウェブブラウザの新しいウィンドウを開く代わりに、同じウェブページ内の異なる位置にナビゲートされる。
【００２５】
ウェブページの第１領域は、ターゲット取引対象物の情報を表示する。ターゲット取引対象物は、ウェブページの第２領域に表示され、且つ、所定の基準（複数可）を満たすユーザトラフィック情報を有する。第１領域のターゲット取引対象物の情報に対してユーザが操作を行うと、ユーザは、そのターゲット取引対象物の詳細情報のウェブページにも、任意の他の異なるウェブページにもナビゲートしない。代わりに、ユーザは、ウェブページ内で、ターゲット取引対象物の情報に対応するウェブページの第２領域の位置にナビゲートする。従って、ウェブページの第１領域が、一致するユーザトラフィックデータ（例えば、ユーザのクリック率が高い等）を有する取引対象物の情報を表示し、且つ、ウェブページの上端近くに提示されるという事実と、大抵のユーザは、ウェブページを最上部から下に閲覧するという事実とから、ウェブページの第１領域に表示された取引対象物の情報は、よりユーザの注目を集め、それによって、その情報へのユーザトラフィックを増やす。
【００２６】
ユーザが、ウェブページの第１領域に表示された取引対象物の情報を選択（すなわち、クリック）後、ユーザは、選択した取引対象物に関する情報が表示された第２領域のウェブページ内の位置にナビゲートする。他の取引対象物の情報は、ユーザがナビゲートする位置の近くに表示され、また、大抵のユーザは、自然と、視界に入る情報に注目するので、選択された取引対象物の情報の周囲の他の取引対象物の情報も、サイト露出が増え、表示された情報へのユーザトラフィックが増える可能性がある。
【００２７】
サーバは、ウェブページの第１領域とウェブページの第２領域の両方のコンテンツを例示の方法１００を使用して決定する。方法１００は、ステップ１０１で開始し、ステップ１０１は、サブ領域に表示される全ての取引対象物に関して行われる。ステップ１０１は、ステップ１０１−１で開始し、そこで、各サブ領域に表示される取引対象物情報へのユーザトラフィック情報に関する統計を取得する。ユーザトラフィック情報は、クリック率、トランザクション完了率、独立した（ｉｎｄｅｐｅｎｄｅｎｔ）ユーザアクセス等の情報を含むが、これらに限らない。ユーザトラフィック情報に関する統計は、例えば、表示された取引対象物情報のそれぞれに関してユーザからトラフィック情報を取得すること、例えば、クリックイベント、アクセスしたユーザの情報（ｖｉｓｉｔｉｎｇ ｕｓｅｒ  ｉｎｆｏｒｍａｔｉｏｎ）、完了したトランザクションの情報等を分析すること、及び／または、リアルタイムで収集したクリック率、アクセスしたユーザ情報（ｖｉｓｉｔｉｎｇ ｕｓｅｒ  ｉｎｆｏｒｍａｔｉｏｎ)等の情報を分析することによって、行うことができる。
【００２８】
一部の実施形態においては、サーバは、ユーザがダウンロードする最初のウェブページを提供する。最初のウェブページは、例えば、順不同な配置で、または、取引対象物によって提供される品目のカテゴリ、ブランド等に従った順序等、任意の適切な方法で、各取引対象物の情報を表示する。ユーザが最初のウェブページの閲覧に一定の時間を費やした後、各取引対象物へのユーザトラフィックに関する情報がユーザから収集でき、その情報に基づいて、各取引対象物のユーザトラフィック情報が、統計分析を適用して取得できる。あるいは、ユーザトラフィック情報は、例えば、一日前、一時間前等の時間に収集されたユーザアクセス情報の統計に基づいても決定できる。さらに、代替的に、各取引対象物のユーザトラフィック情報は、取引対象物の情報を表示する他のウェブページで生成されたユーザアクセス情報の統計をまとめることによっても決定できる。
【００２９】
ステップ１０１−２において、ターゲット取引対象物の情報が、ステップ１０１−１で取得された統計に基づいて決定される。各取引対象物に関して取得されたユーザトラフィック情報に基づいて、ウェブページの第２領域のサブ領域に表示された取引対象物の統計を計算できる。このような統計も、どの取引対象物がウェブページの第１領域に表示するターゲット取引対象物であるかを決定するための基礎を提供する。
【００３０】
ステップ１０１−２の後、方法１００は、ステップ１０２に進み、ステップ１０２において、ターゲット取引対象物に関する情報が、ウェブページの第１領域にロードされる。ロードされたターゲット取引対象物情報は、第１領域のターゲット取引対象物に関する情報に対して操作が行われると、ユーザは、ターゲット取引対象物の情報に対応するサブ領域の位置にウェブページをナビゲートするように、各サブ領域の対応する位置の情報にさらにリンクされる。
【００３１】
ウェブページの第２領域で取引対象物のユーザトラフィック情報を決定後、一致するユーザトラフィックデータ（例えば、ランク付けされた一連の取引対象物の最初の一定の数の取引対象物）を有するこれらの取引対象物の情報は、ターゲット取引対象物に関する情報としてウェブページの第１領域にロードされる。さらに、ターゲット取引対象物の情報と、サブ領域の対応する位置（例えば、座標）とのマッピング関係を記憶する。従って、ユーザが、ウェブページを閲覧しながら、第１領域に表示されたターゲット取引対象物の情報に対して操作を行うと、ウェブページは、ターゲット取引対象物情報が表示される対応するサブ領域の対応する位置にナビゲートされる。同時に、選択されたターゲット取引対象物情報の周囲に表示される他の取引対象物情報への潜在的なユーザトラフィックも増加する。
【００３２】
図２を参照すると、本開示の実施形態によるウェブページの例示のレイアウトの図が、第１領域に表示されたターゲット取引対象物の情報が例示の方法で、どのように決定できるかに関して示されている。ターゲット取引対象物の情報は、様々な方法で決定できる。この例において、ウェブページ２００は、第１領域２４と第２領域を含む。第２領域は、サブ領域２１、サブ領域２２、サブ領域２３という複数のサブ領域を含む。各サブ領域は、製品画像、テキスト記述、及び／または、関連付けられたハイパーテキストリンク等の形態で、詳細な取引対象物情報を表示する。ここで、サブ領域２１は、取引対象物Ａ１、Ａ２、Ａ３、Ａ４の情報を表示する。サブ領域２２は、取引対象物Ｂ１、Ｂ２、Ｂ３、Ｂ４の情報を表示する。サブ領域２３は、取引対象物Ｃ１、Ｃ２、Ｃ３、Ｃ４の情報を表示する。
【００３３】
この例において、ウェブページの第１領域に表示されたターゲット取引対象物に関する情報は、各サブ領域から選択され、且つ、所定の基準（複数可）に一致する（例えば、統計結果の上の方にランク付けされている）ユーザトラフィック情報を有する１つまたは複数の取引対象物の情報を含み得る。一部の実施形態においては、各サブ領域から、最も高いユーザアクセス率を生成する取引対象物をウェブページの第１領域に表示するターゲット取引対象物として選択できる。図２に示すように、第１領域２４は、取引対象物Ａ１、取引対象物Ｂ２、取引対象物Ｃ４を表示し、これらは、第２領域の各対応するサブ領域から選択される。これらのターゲット取引対象物に関する情報は、画像であってもテキストであってもよい。ユーザが、第１領域に表示されたターゲット取引対象物の情報に対して操作を行うと（例えば、マウスをクリックして選択すると）、ウェブページは、詳細なターゲット取引対象物情報が表示された対応するサブ領域の対応する位置にナビゲートされ、それによって、ターゲット取引対象物情報の周囲の領域に表示された他の取引対象物の情報への潜在的なユーザトラフィックを増加させる。
【００３４】
ウェブページの第１領域に表示されたターゲット取引対象物に対応する情報は、ウェブページの第２領域の下端近くに表示される場合もあり、または、サブページ構成において高いサブページ連番を有するサブページに表示される場合もある。ウェブページの第１領域がなければ、取引対象物がユーザにどんなに人気があっても、ユーザが、ウェブページでこの特定の取引対象物に到達または発見することは難しい。本開示の実施形態によると、ユーザに人気のある取引対象物に関する情報は、ウェブページの第１領域に表示され、第１領域は、ディスプレイの上端近くに位置する。ユーザによって操作されると、ウェブページは、取引対象物の詳細情報を表示するウェブページの第２領域の対応する位置にナビゲートされる。従って、ユーザが、このような人気のある取引対象物の情報に素早くアクセスするために、繰り返し、ウェブページをスクロール、マウスホイールをスクロール、または、サブページをナビゲートする必要は無い。結果として、ユーザの閲覧体験は、ユーザの操作経路が短くなって、より便利になり、それによって、ターゲット取引対象物の近くに表示された他の取引対象物の情報への潜在的なユーザトラフィックを増やす。
【００３５】
さらに、ウェブページの第２領域は、様々な構成に従って、複数のサブ領域に分割できる。一部の実施形態においては、取引対象物は、例えば、紳士服、婦人服、宝石等、複数のカテゴリに分類できる。同じカテゴリの取引対象物に関する情報は、コンテンツが整然と現れるように、同じサブ領域に表示される。さらに、この構成を用いると、第１領域で行われるクリックによってページ内ナビゲーションが有効にされるのに加えて、ウェブページがナビゲートされる同じサブ領域に取引対象物が表示されるような関係性をさらに構成できる。例えば、１つの特定の取引対象物に関心を持ったユーザの観点から、ユーザは、その特定の取引対象物の同じカテゴリの他の取引対象物に同様に関心を持つ可能性が高い。言い換えると、カテゴリ情報は、ユーザの好みを、ある程度まで具体化する。よって、ウェブページの第１領域にターゲット取引対象物の情報を表示することに支援されて、ユーザは、ターゲット取引対象物に対応するカテゴリから取引対象物の詳細情報を素早く閲覧することができ、各カテゴリのこれらの取引対象物の情報への潜在的なユーザトラフィックを増加させる。
【００３６】
図３を参照すると、本開示の実施形態による、ウェブページの別の例示のレイアウトの図は、ウェブページの第１領域に表示されるターゲット取引対象物の情報を別の例示の方法でどのように決定できるかに関して示されている。ここで、ウェブページに表示される取引対象物は、同様にカテゴリに分類される。しかしながら、上記例とは異なり、取引対象物は、最初に、複数のレベル１カテゴリに分類され、各カテゴリは、複数のレベル２カテゴリにさらに分類される。レベル１カテゴリとレベル２カテゴリの分類の根拠となる規則は、同じであってもよく、異なっていてもよい。例えば、レベル１カテゴリは、かばん、化粧品、時計及び宝石、紳士服、子供服等のカテゴリを含み得る。レベル１カテゴリに基づいて、レベル２カテゴリを分類する方法があってよい。一部の実施形態においては、異なるレベル１カテゴリに基づいて、異なる次元を利用してレベル２カテゴリの分類を行う。他の一部の実施形態においては、同じレベル１カテゴリに基づいて、異なる次元を利用してレベル２カテゴリの分類を行う。例えば、「化粧品」のレベル１カテゴリは、ブランドの次元に基づいて、ブランドＡ、ブランドＢ，及び、ブランドＣ等のレベル２カテゴリのセットにさらに分類できる。または、「化粧品」の同じレベル１カテゴリは、化粧ツール、化粧カウンター等のレベル２カテゴリの別のセットにも分類できる。実施態様において、分類されたレベル１カテゴリに基づいて、レベル１カテゴリまたはレベル２カテゴリにどのように分類すべきかに関して制限はない。
【００３７】
従って、レベル１とレベル２のカテゴリの分類を用いて、ウェブページの第２領域を複数のサブ領域に分割することができ、各サブ領域は、各レベル１カテゴリに対応し、各サブ領域は、取引対象物に対応するレベル２カテゴリに従った配置で、取引対象物の情報を表示する。従って、サブ領域において、各レベル２カテゴリは、それぞれ、レベル２サブ領域に対応する。これらのレベル２サブ領域は、レベル２サブ領域間で重なる配置、または、重ならない配置で構成され得る。
【００３８】
一部の実施形態においては、ウェブページの第２領域は、垂直の向きで複数のサブ領域に分割することができ、各サブ領域は、垂直の向きに沿って、複数のレベル２サブ領域にさらに分割され、各レベル２サブ領域は、レベル２カテゴリの取引対象物の情報の表示に対応する。図３に示すように、ウェブページ３００は、第１領域３２と第２領域を含む。第１領域３２は、レベル２カテゴリＡＩ、レベル２カテゴリＢＩＩ、レベル２カテゴリＣＩＩを表示する。ウェブページの第２領域は、他のサブ領域に加えて、サブ領域３１を含み、サブ領域３１は、サブ領域３１１とサブ領域３１２とにさらに分割される。サブ領域３１１は、全て、レベル２カテゴリＡＩの取引対象物Ａ１、取引対象物Ａ２、取引対象物Ａ３の情報を表示する。同様に、サブ領域３１２は、全て、レベル２カテゴリＡＩＩの取引対象物Ａ４、取引対象物Ａ５、取引対象物Ａ６を表示する。
【００３９】
さらに、一部の実施形態においては、各サブ領域は、インデックス若しくはラベル領域とコンテンツ領域とに分割できる。レベル１カテゴリに対応するサブ領域において、インデックス領域では、レベル１カテゴリの下にレベル２カテゴリのラベルが表示される。レベル２カテゴリのラベルは、ユーザの閲覧ガイドも兼ねることができる。ユーザが対応するラベルをクリックすると、ウェブページは、レベル２カテゴリに対応するレベル２サブ領域の位置に直接、ナビゲートされる。ラベルのタイトルは、レベル２カテゴリのタイトル、例えば、「ブランドＡ」「ブランドＢ」「ブランドＣ」「化粧ツール」「化粧カウンター」等と同じであってよい。ユーザがラベルを選択すると、選択されたラベルに対応するレベル２カテゴリから各取引対象物の情報が、対応するレベル２サブ領域に表示される。別のラベルが選択されると、新しく選択されたラベルに対応する別のレベル２カテゴリの各取引対象物の情報が、レベル２サブ領域に表示される。
【００４０】
他の一部の実施形態においては、第１領域と第２領域に追加して、第３領域を提供して、ユーザの閲覧を容易にできる。第３領域は、ウェブページの比較的小さい部分を占め、レベル１カテゴリのカテゴリタイトル等、カテゴリ情報を表示するように構成される。レベル１カテゴリ情報に対して操作が行われると、ウェブページは、ウェブページの第２領域の選択されたレベル１カテゴリに対応するサブ領域にナビゲートされる。図３に示すように、ウェブページ３００は、例示の第３領域としてレベル１ガイド領域３３を含む。ガイド領域３３は、レベル１カテゴリＡ、レベル１カテゴリＢ、レベル１カテゴリＣ、及び、レベル１カテゴリＤのタイトルを表示する。このようなガイド領域は、テキスト及び／または他の形式でレベル１カテゴリ情報（例えば、「かばん」、「化粧品」、「時計と宝石」、「紳士服」、「子供服」等）も表示できる。例えば、かばんのカテゴリの品目に対して操作を行うと、ウェブページは、かばんのレベル１カテゴリに対応するサブ領域にナビゲートされる。
【００４１】
レベル１カテゴリとレベル２カテゴリの上記分類を用いて、ウェブページの第２領域に表示される取引対象物のユーザトラフィック情報が、レベル２カテゴリへのユーザトラフィックの情報に基づいて，決定できる。言い換えると、レベル２カテゴリの下に複数の取引からの取引対象物があるという事実によって、それらの取引の取引対象物へのユーザトラフィックに関する情報は、各レベル２カテゴリのユーザトラフィック情報を決定するように、収集及び蓄積できる。例えば、３つの取引からの取引対象物を含むレベル２カテゴリに関して、これら３つの取引対象物に対応するユーザトラフィック情報は、例えば、個々の取引のユーザトラフィックデータを合計して、この特定のレベル２カテゴリのユーザトラフィック情報を取得することによって、蓄積できる。
【００４２】
レベル２カテゴリに対応するユーザトラフィック情報を決定した後、所定の基準（複数可）（例えば、最高のアクセス率）を満たすユーザトラフィック情報を有するレベル２カテゴリが、ターゲット取引対象物の情報として指定される。それによって、このようなターゲットレベル２カテゴリは、取引の取引対象物の情報をウェブページの領域及びサブ領域にどのようにロードすべきかを決定する基礎となる。
【００４３】
一部の実施形態においては、ターゲットレベル２カテゴリの情報は、ウェブページの第１領域にロードされる。図３に示すように、ウェブページ３００の第１領域３２は、ターゲットレベル２カテゴリ情報をロードする例示の第１領域である。第１領域３２は、複数のレベル２カテゴリの情報を含み、ユーザが、特定のレベル２カテゴリの取引対象物を閲覧したい時、ユーザは、ウェブページの第１領域の対応する位置をクリックすると、選択されたレベル２カテゴリに対応するウェブページのサブ領域の位置に直接、ナビゲートし、そのサブ領域には、選択されたレベル２カテゴリの個々の取引の取引対象物の情報が表示されている。
【００４４】
レベル２カテゴリの情報は、様々なフォーマットでウェブページの第１領域にロードできる。一部の実施形態においては、カテゴリ情報は、レベル２カテゴリのタイトルであってよく、他の一部の実施形態においては、カテゴリ情報は、レベル２カテゴリに対応する画像またはアイコンであってよい。画像は、自然に、よりユーザの注目を集めるで、このように提示されたターゲットカテゴリ情報は、より直感的、直接的な方法で、情報を表示する。レベル２カテゴリを表示する画像は、様々な方法で取得できる。例えば、カテゴリの定義でカテゴリを表すために、このような画像を指定することができる。別の例に関しては、このような画像は、ターゲットカテゴリで最も多いユーザトラフィック情報を有する取引対象物の画像であってよい。
【００４５】
上記配置を用いて、ウェブページの第１領域は、典型的に、ユーザからより多くの注目を集めるウェブページの上端近くの位置に構成されるので、ウェブページの第１領域に表示されたこれらのターゲットレベル２カテゴリの情報は、従って、ユーザからより多くの注目を集める。一部の実施形態においては、統計の結果に基づいて、これらのターゲットレベル２カテゴリは最高のユーザアクセス率を有するので、これらのカテゴリ情報への潜在的なユーザトラフィックも同様に高くなる。従って、ウェブページの第１領域にレベル２カテゴリ情報を表示することは、これらのレベル２カテゴリの取引の取引対象物の情報がユーザの注目を集めることに寄与している。
【００４６】
一部の実施形態においては、前日から収集されたユーザのウェブ閲覧行動の統計を通して、ブランドＡのレベル２カテゴリとブランドＢのレベル２カテゴリがユーザからの最高アクセス率を受けたと結論づけられる。よって、これらのブランドＡとブランドＢのレベル２カテゴリのカテゴリ情報は、ウェブページの第１領域にロードされる。他の一部の実施形態においては、特定のレベル２カテゴリがブランドに基づいて分類される（すなわち、メインコンテンツ領域において、このレベル２カテゴリに対応する位置で、表示される情報は全て、同じブランドを販売または表す取引の取引対象物に対応する）時、この特定のブランドのロゴの画像または任意の他の注目を集める情報が、表示のためにウェブページの第１領域にロードされる。他の一部の代替実施形態においては、ターゲットカテゴリで最高のユーザトラフィック情報を有する取引対象物も、この特定のレベル２カテゴリを表す画像として指定できる。
【００４７】
さらに、ウェブページの第１領域のターゲット取引対象物の情報を決定する第２の例を用いて、ターゲットレベル２カテゴリ情報を第１領域にロードする以外に、レベル２カテゴリのターゲットレベル１カテゴリも、レベル２カテゴリの情報に基づいて決定できる。例えば、ブランドＡのターゲットレベル２カテゴリを用いると、この特定のレベル２カテゴリの対応するターゲットレベル１カテゴリは、「婦人服」のレベル１カテゴリであると決定できる。一方、ブランドＢの別のレベル２カテゴリを用いると、「化粧品」のターゲットレベル１カテゴリであると決定できる。ウェブページの第２領域は、レベル１カテゴリに対応するサブ領域に分割されるので、ターゲットレベル１カテゴリを決定すると、ターゲットレベル１カテゴリに対応するサブ領域も、決定できる。次に、ターゲットレベル１カテゴリに対応するサブ領域に表示される情報のレイアウトは、ウェブページに表示される他の取引の取引対象物への潜在的なユーザトラフィックを増やすように配置できる。
【００４８】
詳細には、ウェブページの第２領域の対応するサブ領域のターゲットレベル１カテゴリの情報のレイアウトを示す例示的な配置は、それぞれ、対応するサブ領域にターゲットレベル２カテゴリの取引の取引対象物の情報をロードすることである。一部の実施形態においては、ターゲットサブ領域は、対応するサブ領域の中央の部分に配置される。例えば、レベル２カテゴリの取引の取引対象物の情報が、図３に示すタイルレイアウトで表示される時、ターゲットレベル２カテゴリの取引の取引対象物の情報は、対応するサブ領域の中央に表示される。詳細には、５つのレベル２カテゴリを含むレベル１カテゴリを用いると、各レベル２カテゴリ取引から取引の取引対象物の情報が、行で表示される。特定のレベル２カテゴリが、最大のユーザアクセスを受け、結果として、ターゲットレベル２カテゴリと指定されると、このターゲットレベル２カテゴリの取引の取引対象物の情報が、対応するサブ領域の第３の行に表示される。対応するサブ領域が、インデックス領域を含むように構成される場合、ターゲットレベル２カテゴリに対応するインデックスが、それに応じて、インデックス領域の中央に表示される。
【００４９】
従って、ターゲットレベル２カテゴリの情報が、第１領域で操作されると、ウェブページは、選択されたターゲットレベル２カテゴリの取引の取引対象物の情報が表示される位置に直接、ナビゲートされる。言い換えると、ウェブページは、選択されたターゲットレベル２カテゴリに対応するターゲットサブ領域の中央にナビゲートされる。ユーザは自然に、現在、アクセスしている領域の近くに表示された情報を閲覧するので、ターゲットサブ領域の上または隣に表示された他のレベル２カテゴリの取引の取引対象物の情報も、潜在的なユーザトラフィックが増える可能性があり、より多くの取引の取引対象物の情報が閲覧される。
【００５０】
上記のように、例えば、レベル１カテゴリのタイトル等、レベル１カテゴリの情報を表示する第３領域もウェブページに構成できる。レベル１カテゴリの情報に対して操作が行われると、ウェブページは、第２領域の選択されたレベル１カテゴリに対応するサブ領域にナビゲートされる。例えば、ウェブページは、第２領域の対応するサブ領域の上にナビゲートされる。
【００５１】
さらに、一部の取引へのユーザアクセス率が低すぎる状況を回避するために、レベル２カテゴリのユーザトラフィック情報の統計を取得する時、別の事前に設定された条件（例えば、最低のユーザアクセス率）を満たす少なくとも１つのレベル２カテゴリのユーザトラフィック情報を、対応するレベル１カテゴリのそれぞれに関して決定できる。識別されたレベル２カテゴリの取引の取引対象物の情報は、対応するサブ領域の最上部にロードされる。第３領域のこのようなガイド機能を用いて、取引の取引対象物の情報がウェブページの領域の最上部に表示されることによって、ユーザトラフィックとユーザアクセス率の増加が期待できる。結果として、ウェブページに表示された各取引の取引対象物に関するユーザトラフィックとユーザアクセス率は、より均衡して、一部の取引のユーザアクセス率が高すぎ、他の取引のユーザアクセス率が低すぎるという状況が回避される。同様に、リソースは、一部のサーバが高い表示要求負荷を満たしている一方、他のサーバはほとんどアイドル状態であるという状況を避けることによって、より効率的に利用できる。
【００５２】
さらに、一部の実施形態においては、レベル１カテゴリに対応するサブ領域のレイアウトを構成する時、レベル１カテゴリに関するユーザトラフィック情報も考慮する。例えば、比較的低いユーザトラフィックを有するレベル１カテゴリは、ウェブページ上端に近いサブ領域にロードできる。従って、ユーザに人気のある取引対象物の情報は、自然に、ユーザの閲覧習慣によって、高いユーザアクセス率となる一方、ユーザにあまり人気の無い取引対象物の他の情報は、人気がないにもかかわらず、上記サブ領域レイアウト構成の強みによって、その情報へのユーザトラフィックを増やすことができる。
【００５３】
一部の実施形態においては、第２領域に表示された情報に関するユーザトラフィック情報の統計は、例えば、一時間に一度等、定期的に行うことができる。ユーザトラフィック情報に関して定期的に計算される統計結果に基づいて、ウェブページの領域とサブ領域のレイアウトは、最新の統計データに従って、更新、調整できる。例えば、特定の日の午前８時〜９時の間に、ウェブページの第１領域は、レベル２カテゴリＡ、レベル２カテゴリＢ、及び、レベル２カテゴリＣを表示する。それに続く午前９時〜１０時の間、ウェブページの第１領域は、代わりに、レベル２カテゴリＣ、レベル２カテゴリＤ、及び、レベル２カテゴリＥを表示する。従って、対応するサブ領域の中央に表示される情報も変化する。言い換えると、サブ領域に表示された取引対象物のユーザトラフィック情報に関して、統計は、更新されたターゲット取引の情報が更新された統計の結果に基づいて取得されるように、定期的に更新できる。次に、更新されたターゲット取引対象物の情報は、ウェブページの第１領域にロードされ、各サブ領域の対応する位置にリンクされる。再び、第１領域の更新されたターゲット取引対象物の情報に対して操作が行われると、ウェブページは、ターゲット取引対象物の情報に対応するサブ領域の位置にナビゲートされる。ウェブページに表示された情報の動的調整を通して、ウェブページに表示された取引の取引対象物へのユーザトラフィックは、徐々に、均衡して分散される。
【００５４】
本開示の一部の実施形態においては、ウェブページに取引対象物情報を提供する方法を、クライアントの観点から示すことができる。クライアントは、ユーザからの閲覧コマンドに基づいて、ウェブページ表示要求をサーバに送信し、要求したウェブページをサーバからダウンロードする。ウェブページは、少なくとも１つの第１領域と少なくとも１つの第２領域を含む。第２領域は、複数のサブ領域を含み、各サブ領域は、少なくとも１つの取引対象物の情報を表示する。
【００５５】
ウェブページの領域とサブ領域のコンテンツは、各取引対象物をサブ領域に表示することと、サブ領域に表示された取引対象物のユーザトラフィック情報の統計を取得することと、ユーザトラフィック情報が予め設定した条件を満たすか否かに基づいて、ターゲット取引対象物を決定することと、ターゲット取引対象物の情報をウェブページの第１領域にロードして、第１領域のターゲット取引対象物の情報に対して操作を行うと、ウェブページがターゲット取引対象物の情報に対応するサブ領域の位置にナビゲートされるように、ロードされた情報をサブ領域の対応する位置にリンクすることによって、決定することができる。
【００５６】
ここで、要求されたウェブページをダウンロード後、クライアントは、次に、クライアントのウェブブラウザのウィンドウに表示するために、ウェブページのコンテンツを分析、処理、及び、配置できる。このようなウェブページは、少なくとも１つの第１領域と少なくとも１つの第２領域に分割することができ、その領域のコンテンツは、サーバの観点から詳細に記載した上記実施形態に示された関連する詳細と実質的に同様に、決定される。
【００５７】
他の一部の実施形態においては、ウェブページに取引対象物の情報を提供する例示のシステムは、システム全体という観点から示される。ウェブページは、少なくとも１つの第１領域と少なくとも１つの第２領域を含む。ウェブページの第２領域は、複数のサブ領域を含み、複数のサブ領域の各サブ領域は、少なくとも１つの取引対象物の情報を表示する。ウェブページの第１領域は、複数のターゲット取引対象物の情報を含み、複数のターゲット取引対象物の情報は、第１領域のターゲット取引対象物の情報に対して操作が行われると、ウェブページがターゲット取引対象物の情報に対応するサブ領域の位置にナビゲートされるように、サブ領域の対応する位置にリンクされる。
【００５８】
一部の実施形態においては、ターゲット取引対象物の情報は、対応するサブ領域から選択され、所定の基準（複数可）を満たすユーザトラフィック情報を有する取引対象物の情報に対応する。一部の代替実施形態においては、ウェブページの第２領域のサブ領域は、同じレベル１カテゴリの取引対象物の情報を含み、レベル１カテゴリは、複数のレベル２カテゴリを有する。ターゲット取引対象物の情報は、対応するサブ領域から選択され、所定の基準（複数可）を満たすユーザトラフィック情報を有するレベル２カテゴリの情報である。
【００５９】
詳細には、ウェブページのコンテンツは、各取引対象物をサブ領域に表示することと、サブ領域に表示された取引対象物のユーザトラフィック情報の統計を取得することと、取引対象物のユーザトラフィック情報が予め設定された条件を満たすか否かに基づいて、ターゲット取引対象物の情報を決定することと、ターゲット取引対象物の情報をウェブページの第１領域にロードして、第１領域のターゲット取引対象物の情報に対して操作が行われると、ウェブページがターゲット取引対象物の情報に対応するサブ領域の位置にナビゲートされるように、ロードされた情報をサブ領域の対応する位置にリンクすることによって、決定することができる。
【００６０】
予め設定された条件を満たすユーザトラフィック情報を有するターゲット取引対象物の情報は、様々な方法で決定できる。一部の実施形態においては、ユーザトラフィック情報を満たす取引対象物を、各サブ領域から選択することができ、このような選択された取引対象物の情報は、ターゲット取引対象物の情報として指定できる。一部の代替実施形態においては、ウェブページのサブ領域が、複数のレベル２カテゴリを有する同じレベル１カテゴリからの取引対象物の情報を含む時、ターゲット取引対象物の情報は、レベル２カテゴリのユーザトラフィック情報を決定するように、同じレベル２カテゴリから取引対象物のユーザトラフィック情報を蓄積することによって決定できる。予め設定された条件を満たすユーザトラフィック情報を有するターゲットレベル２カテゴリの情報は、ターゲット取引対象物の情報として指定される。
【００６１】
他の実施形態においては、ターゲット取引対象物の情報は、更新される。詳細には、最初に、各サブ領域の取引対象物に関して、そのサブ領域に表示された取引対象物のユーザトラフィック情報の更新された統計を計算する。二番目に、更新されたターゲット取引対象物の情報は、ユーザトラフィック情報の更新された統計の結果に基づいて決定される。次に、更新されたターゲット取引対象物の情報は、ウェブページの第１領域にロードされ、各サブ領域の対応する位置にリンクされる。再び、ウェブページの第１領域の更新されたターゲット取引対象物の情報に対して操作が行われると、ウェブページは、更新されたターゲット取引対象物の情報に対応するサブ領域の位置にナビゲートされる。
【００６２】
ウェブページの第２領域の複数のサブ領域は、例えば、重なる配置または重ならない配置等のレイアウトで構成できる。
【００６３】
本開示の他の一部の実施形態においては、ウェブページ上に取引対象物の情報を提供するユーザインタフェースを備える。ウェブページは、少なくとも１つの第１領域と少なくとも１つの第２領域を含む。ウェブページの第２領域は、複数のサブ領域を有し、複数のサブ領域の各サブ領域は、少なくとも１つの取引対象物の情報を表示する。ウェブページの第１領域は、複数のターゲット取引対象物の情報を含み、複数のターゲット取引対象物の情報は、第１領域のターゲット取引対象物の情報に対して操作が行われると、ウェブページがターゲット取引対象物の情報に対応するサブ領域の位置にナビゲートされるように、サブ領域の対応する位置にリンクされる。
【００６４】
一部の実施形態においては、ターゲット取引対象物の情報は、対応するサブ領域から選択され、所定の基準（複数可）を満たすユーザトラフィック情報を有する取引対象物の情報に対応する。一部の代替実施形態においては、ウェブページの第２領域のサブ領域は、同じレベル１カテゴリの取引対象物の情報を含み、レベル１カテゴリは、複数のレベル２カテゴリを有する。ターゲット取引対象物の情報は、対応するサブ領域から選択され、所定の基準（複数可）を満たすユーザトラフィック情報を有するレベル２カテゴリの情報である。
【００６５】
上記実施形態の関連詳細は、サーバの観点から詳しく記載した上記実施形態で示した実施形態とほぼ同じであり、簡単にするために、ここに繰り返し記載しない。
【００６６】
図４を参照すると、本開示の実施形態による、ウェブページに取引対象物の情報を提供する例示のシステムのブロック図が示されている。システム４００は、ウェブページ要求を受信した後、ウェブページを提供するように構成される。ウェブページは、少なくとも１つの第１領域と少なくとも１つの第２領域を含む。ウェブページの第１領域は、複数のターゲット取引対象物の情報を有し、ウェブページの第２領域は、複数のサブ領域を含み、複数のサブ領域の各サブ領域は、少なくとも１つの取引対象物の情報を表示する。システム４００は、情報統計モジュール４０１とレイアウトモジュール４０２を含む。情報統計モジュール４０１は、ユーザトラフィック情報統計サブモジュール４０１１とターゲット取引対象物決定サブモジュール４０１２をさらに含み、その両方が、各サブ領域の取引対象物に関して実行される。ユーザトラフィック情報統計サブモジュール４０１１は、サブ領域に表示された取引対象物のユーザトラフィック情報の統計を取得するように構成される。ターゲット取引対象物決定サブモジュール４０１２は、取引対象物のユーザトラフィック情報に関して取得された統計結果に基づいて、ターゲット取引対象物の情報を決定するように構成される。レイアウトモジュール４０２は、ターゲット取引対象物の情報をウェブページの第１領域にロードし、ウェブページの第１領域のターゲット取引対象物の情報に対して操作が行われると、ウェブページがターゲット取引対象物の情報に対応するサブ領域の位置にナビゲートされるように、ロードされた情報をサブ領域の対応する位置にリンクするように構成される。
【００６７】
一部の実施形態においては、ターゲット取引対象物決定サブモジュール４０１２は、所定の条件を満たすユーザトラフィック情報を有する取引対象物を各サブ領域から選択するように構成された選択サブモジュールと、サブ領域から選択された取引対象物の情報をターゲット取引対象物の情報として指定するように構成された第１決定サブモジュールと、を含む。
【００６８】
他の一部の実施形態においては、各サブ領域が、複数のレベル２カテゴリを有する同じレベル１カテゴリからの取引対象物の情報を含む場合、ターゲット取引対象物決定サブモジュール４０１２は、収集サブモジュールと第２決定サブモジュールを含む。蓄積サブモジュールは、レベル２カテゴリに対応するユーザトラフィック情報を決定するように、レベル２カテゴリから取引対象物のユーザトラフィック情報を蓄積するように構成される。第２決定サブモジュールは、所定の基準（複数可）を満たすユーザトラフィック情報を有するターゲットレベル２カテゴリに対応する情報をターゲット取引対象物の情報として指定するように構成される。
【００６９】
第２決定サブモジュールは、取引対象物選択サブモジュールと、代表画像決定サブモジュールと、情報決定サブモジュールとをさらに含み得る。取引対象物選択サブモジュールは、ターゲットレベル２カテゴリから取引対象物を選択するように構成される。代表画像決定サブモジュールは、ターゲットレベル２カテゴリの代表画像として、取引対象物の画像を指定するように構成される。情報決定サブモジュールは、代表画像に基づいて、ターゲット取引対象物の情報を決定するように構成される。
【００７０】
一部の代替実施形態においては、レイアウトモジュール４０２は、ウェブページのコンテンツを決定する時、ターゲットレベル２カテゴリから取引対象物の情報を、ターゲットレベル２カテゴリの親カテゴリであるレベル１カテゴリに対応するターゲットサブ領域の中央部分にロードするように構成できる。
【００７１】
さらに、本開示の実施形態による、ウェブページに取引対象物情報を提供する別の例示のシステムを以下に記載する。システムは、ウェブページを受信するように構成される。ウェブページは、少なくとも１つの第１領域と少なくとも１つの第２領域を含む。ウェブページの第１領域は、複数のターゲット取引対象物の情報を有し、ウェブページの第２領域は、複数のサブ領域を有し、複数のサブ領域の各サブ領域は、少なくとも１つの取引対象物の情報を表示する。
【００７２】
ウェブページの領域とサブ領域のコンテンツは、情報統計モジュールとレイアウトモジュールによって決定される。情報統計モジュールは、ユーザトラフィック情報統計サブモジュールとターゲット取引対象物決定サブモジュールをさらに含み、それらは両方とも、各サブ領域に表示された取引対象物に対して実行される。ユーザトラフィック情報統計サブモジュールは、サブ領域に表示された取引対象物のユーザトラフィック情報の統計を取得するように構成される。ターゲット取引対象物決定サブモジュールは、取引対象物のユーザトラフィック情報によって取得された統計結果に基づいて、ターゲット取引対象物の情報を決定するように構成される。レイアウトモジュールは、ターゲット取引対象物の情報をウェブページの第１領域にロードし、ウェブページの第１領域のターゲット取引対象物に対して操作が行われると、ウェブページがターゲット取引対象物の情報に対応するサブ領域の位置にナビゲートされるように、ロードされた情報をサブ領域の対応する位置にリンクするように構成される。
【００７３】
本開示の実施形態は、ソフトウェア、ハードウェア、ファームウェア、及び／または、それらの組み合わせを用いて実施できる。ソフトウェア、ハードウェア、ファームウェア、または、それらの組み合わせを用いて実施される代わりに、命令コードは、任意の種類のコンピュータ可読媒体（例えば、永久若しくは修正可能、揮発性若しくは不揮発性、固体若しくは非固体、固定若しくは可変の媒体等）に記憶できる。同様に、このような媒体は、例えば、プログラマブルアレイロジック（ＰＡＬ）、ランダムアクセスメモリ（ＲＡＭ）、プログラマブルリードオンリメモリ（ＰＲＯＭ）、リードオンリメモリ（ＲＯＭ）、電気的消去可能プログラマブルＲＯＭ（ＥＥＰＲＯＭ）、磁気記憶装置、光学記憶装置、デジタル多用途ディスク（ＤＶＤ）等を用いて、実施できる。
【００７４】
本開示の実施形態に記載のモジュールまたはブロックは、論理モジュールまたは論理ブロックであることを指摘しておく。物理的に、論理モジュールまたは論理ブロックは、物理モジュール若しくは物理ブロック、物理モジュール若しくは物理ブロックの一部、または、複数の物理モジュール若しくは物理ブロックの組み合わせであってよい。これらの論理モジュールまたは論理ブロックの物理的な実施は、不可欠ではない。モジュール、ブロック、及び、それらの組み合わせによって実現される機能は、本開示が取り組んだ問題の解決への鍵である。さらに、本開示の新規性を開示するために、上記実施形態は、本開示が取り組んだ問題の解決にあまり関係のないモジュールやブロックに関しては開示しておらず、そのことは、上記実施形態が他のモジュールもブロックも含むべきではないことを意味してはいない。
【００７５】
本開示の請求項及び明細書において、第１、第２等の語は、ある実施形態または操作を、別の実施形態または操作から区別するためだけに使用されていることを指摘しておく。それは、これらの実施形態または操作が、このような現実の関係または順序を有することを要求してもおらず、暗示してもいない。さらに、本明細書で使用される「ｃｏｍｐｒｉｓｉｎｇ」、「ｉｎｃｌｕｄｉｎｇ」、または、任意の他の変形は、非排他的に含むことを意図しており、要素のリストを含むプロセス、方法、項目、または、装置は、これらの要素を含むだけではなく、明示的に列挙されていない他の要素、または、このようなプロセス、方法、項目、または、装置に本来備わっている他の要素を含んでよい。さらなる制限が無い限り、「ｃｏｍｐｒｉｓｉｎｇ  ａ」という句で記載される要素は、このような要素を含むプロセス、方法、項目、または、装置が他の同じ要素を含むことを除外していない。
【００７６】
前述の開示は、特定のブロック図、フローチャート、及び、例を使用して、様々な実施形態を記載するが、各ブロック図の構成要素、フローチャートのステップ、操作、ならびに／または、本明細書に記載及び／もしくは図示された構成要素は、個々に、及び／または、集合的に、広範囲のハードウェア、ソフトウェア、もしくは、ファームウェア（または、それらの任意の組み合わせ）構成を用いて、実施されてよい。さらに、他の構成要素内に含まれる任意の構成要素の開示はいずれも、多くの他のアーキテクチャが同じ機能を達成するように実施できるので、例として考慮されるべきである。
【００７７】
本明細書に記載及び／または図示されたプロセスパラメータとステップシーケンスは、例としてのみ提供されており、必要に応じて変化させてよい。例えば、本明細書に図示及び／または記載したステップは、特定の順で示し、または、記載されているが、これらのステップは、図示または記載した順で必ずしも行う必要は無い。本明細書に記載及び／または図示した様々な例示の方法は、本明細書に記載または図示したステップの１つまたは複数を省略してもよく、開示のステップに加えて追加のステップを含んでもよい。
【００７８】
様々な実施形態を完全な機能のコンピューティングシステムの文脈で本明細書に記載及び／または図示したが、これらの例示の実施形態の１つまたは複数は、実際に流通するのに使用するコンピュータ可読媒体の具体的な種類を問わず、様々な形態でプログラム製品として流通されてよい。本明細書に開示した実施形態は、一定のタスクを行うソフトウェアモジュールを用いて実施されてもよい。これらのソフトウェアモジュールは、コンピュータ可読記憶媒体上、または、コンピューティングシステムに記憶されてよい、スクリプト、バッチ、または、他の実行可能ファイルを含んでよい。これらのソフトウェアモジュールは、本明細書に開示の実施形態例の１つまたは複数を行うようにコンピューティングシステムを構成してよい。本明細書に開示のソフトウェアモジュールの１つまたは複数は、クラウドコンピューティング環境で実施されてよい。クラウドコンピューティング環境は、インターネットを介して様々なサービスとアプリケーションを提供してよい。これらのクラウドベースサービス（例えば、サービスとしてのソフトウェア、サービスとしてのプラットフォーム、サービスとしてのインフラストラクチャ等）は、ウェブブラウザまたは他のリモートインタフェースを介してアクセス可能であってよい。本明細書に記載の様々な機能は、リモートデスクトップ環境または任意の他のクラウドベースコンピューティング環境を通して提供されてよい。
【００７９】
本開示と本開示の利点を詳細に記載したが、様々な変更、代替、及び、修正が、添付の請求項で定義された開示の精神及び範囲を逸脱することなく、行われてよいことを理解すべきである。多くの修正形態及び変形形態が、上記教示に照らして可能である。実施形態は、開示の原理及びその実践的適用を最もよく説明するために選択、記載しており、それによって、他の当業者は、企図された具体的な使用に適切であると思われる様々な修正をして、本開示及び様々な実施形態を最適に利用できる。
【００８０】
さらに、本出願の範囲は、明細書に記載したプロセス、機械、製造、組成物、手段、方法、及び、ステップの具体的な実施形態に限定されない。当業者が、本開示の開示内容から容易に理解するように、本明細書に記載の対応する実施形態と実質的に同じ機能を行う、または、実質的に同じ結果を達成する、既存の、または、将来開発されるプロセス、機械、製造、組成物、手段、方法、または、ステップは、本開示に従って利用されてよい。従って、添付の請求項は、このようなプロセス、機械、製造、組成物、手段、方法，または、ステップを請求項の範囲内に含むものとする。
【００８１】
本開示による実施形態を上述のように記載した。本開示を具体的な実施形態で記載したが、開示は、このような実施形態に制限されると解釈すべきではなく、以下の請求項に従って解釈するものであることを理解されたい。
【図１】
0006662872.tif 000002
【図２】
0006662872.tif 000003
【図３】
0006662872.tif 000004
【図４】
0006662872.tif 000005